(57)【要約】【課題】  法面の適宜高さにおける補強施工等の作業が、作業用デッキを固定設置することなく、容易、かつ、安全に行えるようにする。【解決手段】  ガイドマスト２と、駆動部３の駆動によりガイドマスト２に沿って昇降する駆動ユニット４と、駆動ユニット４の側面に連接される作業用デッキ５とからなる移動昇降式足場において、ガイドマスト２が法面Ａに沿って縦方向に配置され、駆動ユニット４と作業用デッキ５との連接が、作業用デッキ５の前縁側が後縁側に対して下方位置となるように傾斜して行われ、傾斜の角度は法面Ａの角度をＸ°とする場合（９０−Ｘ）°とする移動昇降式足場。【選択図】図１
2019011663.tif 000002
【特許請求の範囲】
【請求項１】
法面に沿って、前記法面の下縁側から上縁側に至るようにガイドマストを設置し、
前記ガイドマストに沿って昇降移動するように駆動部を配置し、
前記駆動部に水平状態に作業用デッキを長尺に渡り接続配置し、
前記法面に沿って前記駆動部とともに前記作業用デッキを昇降移動させることで、前記法面全体の施工を行うことを特徴とする法面の施工方法。
【請求項２】
ガイドマストと、駆動部の駆動により前記ガイドマストに沿って昇降する駆動ユニットと、前記駆動ユニットの側面に連接される作業用デッキとからなる移動昇降式足場において、
前記ガイドマストが法面に沿って縦方向に配置され、
前記駆動ユニットと前記作業用デッキとの連接が、前記作業用デッキの前縁側が後縁側に対して下方位置となるように傾斜して行われ、
前記傾斜の角度は前記法面の角度をＸ°とする場合（９０−Ｘ）°とする、
ことを特徴とする移動昇降式足場。
【請求項３】
ガイドマストと、駆動部の駆動により前記ガイドマストに沿って昇降する駆動ユニットと、前記駆動ユニットの側面に連接される作業用デッキとからなる移動昇降式足場において、
前記ガイドマストが法面に沿って縦方向に配置され、
前記駆動ユニットと前記作業用デッキとの連接が、一方面側に前記駆動用ユニット側への複数の第１連結部を備えるとともに他方面側に前記作業用デッキ側への複数の第２連結部を備え、かつ、前記第１連結部と前記第２連結部とは互いが偏心する位置に配置された連結部材を介して行われることで、前記作業用デッキの前縁側が後縁側に対して下方位置となるように傾斜して配置され、
前記傾斜の角度は前記法面の角度をＸ°とする場合（９０−Ｘ）°とする、
ことを特徴とする移動昇降式足場。
【請求項４】
前記作業用デッキ上に、重量工作機が設けられてなる請求項２または３記載の移動昇降式足場。
【請求項５】
前記作業用デッキの端部上に、前記法面の側位置に連続する側壁の施工用の作業台が設けられてなる請求項２または３記載の移動昇降式足場。
【請求項６】
前記作業用デッキに前記法面側に突出可能な補助作業用デッキが設けられ、前記補助作業用デッキの安全柵が法面に沿う位置まで近接配置可能としてなる請求項２または３記載の移動昇降式足場。
【発明の詳細な説明】
【技術分野】
【０００１】  この発明は、法面の施工方法及びその施工に使用する移動昇降式足場に関する。
【背景技術】
【０００２】  線路の側位置に沿う石積みの壁面等は、老朽化が進むにつれてその補強施工が必要となる。そのような壁面が法面となっている場合には、その補強施工は法面に合わせて水平に作業台（足場等）を固定設置して行うが、壁面高さが高い場合には何度も作業台を固定設置し、取り外すことを行わねばならない。したがって、非常に手間がかかり、施工期間が長くなるとともに多くの作業員や重機を必要として、多大な費用を必要とした。
【発明の概要】
【発明が解決しようとする課題】
【０００３】  この発明では、法面の補強施工等が作業台の固定設置等を行うことなく、容易、かつ、安全に行えるようにすることを目的とする。
【課題を解決するための手段】
【０００４】  請求項１の発明では、法面に沿って、前記法面の下縁側から上縁側に至るようにガイドマストを設置し、前記ガイドマストに沿って昇降移動するように駆動部を配置し、前記駆動部に水平状態に作業用デッキを長尺に渡り接続配置し、前記法面に沿って前記駆動部とともに前記作業用デッキを昇降移動させることで、前記法面全体の施工を行うことを特徴とする法面の施工方法を提供する。【０００５】  上記発明の法面の施工方法によれば、法面の下縁側から上縁側に至るように設けられたガイドマストに沿って駆動部とともに長尺にわたる作業用デッキが昇降移動されることで、法面全体の施工が行われるようになる。とくに、作業用デッキが常に水平状態において移動配置されることで、法面の適宜の高さ位置において水平の作業用デッキ上で補強施工等の作業が、効率良く、安定して行える。【０００６】  請求項２の発明では、ガイドマストと、駆動部の駆動により前記ガイドマストに沿って昇降する駆動ユニットと、前記駆動ユニットの側面に連接される作業用デッキとからなる移動昇降式足場において、前記ガイドマストが法面に沿って縦方向に配置され、前記駆動ユニットと前記作業用デッキとの連接が、前記作業用デッキの前縁側が後縁側に対して下方位置となるように傾斜して行われ、前記傾斜の角度は前記法面の角度をＸ°とする場合（９０−Ｘ）°とすることを特徴とする移動昇降式足場を提供する。請求項３の発明では、ガイドマストと、駆動部の駆動により前記ガイドマストに沿って昇降する駆動ユニットと、前記駆動ユニットの側面に連接される作業用デッキとからなる移動昇降式足場において、前記ガイドマストが法面に沿って縦方向に配置され、前記駆動ユニットと前記作業用デッキとの連接が、一方面側に前記駆動用ユニット側への複数の第１連結部を備えるとともに他方面側に前記作業用デッキ側への複数の第２連結部を備え、かつ、前記第１連結部と前記第２連結部とは互いが偏心する位置に配置された連結部材を介して行われることで、前記作業用デッキの前縁側が後縁側に対して下方位置となるように傾斜して配置され、前記傾斜の角度は前記法面の角度をＸ°とする場合（９０−Ｘ）°とする、ことを特徴とする移動昇降式足場を提供する。【０００７】  上記請求項２、請求項３の発明によれば、法面に沿うマストに沿って駆動ユニットと一体に作業用デッキが昇降移動配置されることで、法面の適宜の高さ位置において補強施工等の作業が行える。その際、駆動ユニットに法面の傾斜角度に対応する角度において作業用デッキが連結されていることで、作業用デッキが常に水平となり、作業が容易、かつ、安全に行われる。この発明の移動昇降式足場は各種法面の各種施工作業にひろく用いられる。【０００８】  とくに、請求項３の発明によれば、駆動ユニットと作業用デッキとの連結作業が連結部材を使用することで容易になされる。【０００９】  上記請求項２、請求項３の発明において、作業用デッキ上に重量工作機が設けられてなる構成とすることで、重量工作機を使用しての法面の適宜高さへの施工が容易に行える。重量工作機として、例えば、削孔機が用いられることで、法面の適宜高さへの削孔及びアンカーボルトの打ち込み作業等が容易になされる。���００１０】  上記請求項２、請求項３の発明において、作業用デッキの端部上に法面の側位置に連続する側壁の施工用の作業台が設けられてなる構成とすることで、法面の側位置に連続する側壁の高い位置の施工が行われる。【００１１】  上記請求項２、請求項３の発明において、作業用デッキに法面側に突出可能な補助作業用デッキが設けられ、補助作業用デッキの安全柵が法面に沿う位置まで近接配置可能としてなることで、法面に近接しての施工作業が安全に行われる。
【発明の効果】
【００１２】  この発明によれば、作業用デッキを固定設置することなく法面の適宜の高さ位置において補強施工等の作業が容易に行えるようになり、これにより施工期間が短縮できるとともに作業員を少なくでき、大幅な費用削減が可能となる。
【図面の簡単な説明】
【００１３】
【図１】  この発明の移動昇降式足場の外観斜視図
【図２】  この発明の移動昇降式足場に使用する連結部材の一方側斜視図
【図３】  この発明の移動昇降式足場に使用する連結部材の他方側斜視図
【図４】  この発明の移動昇降式足場における駆動ユニットの作業用デッキとの連結側斜視図
【図５】  この発明の移動昇降式足場における作業用デッキの駆動ユニットとの連結側斜視図
【図６】  この発明の移動昇降式足場の駆動ユニットと作業用デッキとの連結構成説明図
【図７】  この発明の移動昇降式足場の駆動ユニットの作業用デッキとの連結側の異なる形態の斜視図
【図８】  この発明の移動昇降式足場の補助作業用デッキの安全柵部分の斜視図
【図９】  この発明の移動昇降式足場の他の実施形態の使用状態図
【発明の好ましい実施形態】
【００１４】  図１は移動昇降式足場１を示し、法面Ａに沿って縦方向に配置されるガイドマスト２と、モータ（駆動部）３の駆動によりピニオンギヤを回転させることでラックギヤを持つガイドマスト２に沿って昇降する駆動ユニット４と、駆動ユニット４の両側面に連接される一対の作業用デッキ５とから構成されている。作業用デッキプレート５はその周囲位置に安全柵８を備えている。
【００１５】  駆動ユニット４と作業用デッキ５との連結は、図２、図３に示す３角形状の連結部材９を介して行われている。連結部材９はＨ型鋼片が三角形に組まれ溶接固定されて構成され、それぞれの角部の近傍にはＨ型鋼片よりなる支持片１１が溶接によって固着されている。連結部材９の角部それぞれの一方面側には、固定穴１４を有する連結片（第１連結部）１２のそれぞれが溶接により固定されて突設している。支持片１１それぞれの上記連結片１２がある面と逆側には面状の連結片（第２連結部）１３のそれぞれが溶接により取り付けられている。上側に位置する２個の連結部材１３は中央に連結ボス１５が突設されるとともにその両側に固定穴１７が設けられ、下側に位置する１個の連結部材１３は中央に連結ボス嵌合穴１９が設けられるとともにその両側に固定穴１７が設けられている。連結片１２のそれぞれと連結片１３のそれぞれは互いが２５°偏心する位置に設けられている。
【００１６】  図４は駆動ユニット４の作業用デッキ５との連結側を示し、固定穴２５が設けられた３個の連結片２３が溶接により固定されて外向きに設けられている。図５は作業用デッキ５の駆動側ユニット５との連結側を示し、デッキプレート２５を支持するトラス構造の支持体２９の側面に３個の面状の連結片３１のそれぞれが溶接により取り付けられている。上側に位置する２個の連結片３１は中央に連結ボス嵌合穴３３が設けられるとともにその両側に固定穴３５が設けられ、下側に位置する１個の連結片３１は中央に連結ボス３５が突設されるとともに両側に固定穴３５が設けられている。
【００１７】  以下、駆動ユニット４と作業用デッキ５との連結構造を説明する。駆動用ユニット５の連結片２３それぞれと連結部材９の連結片１２のそれぞれとが固定穴２５、固定穴１４それぞれにおいてボルト固定され、その連結部材９の連結片１３のそれぞれに作業用デッキ５側の連結片３１のそれぞれが固定されて駆動ユニット４に作業用デッキ５が連結固定されている。連結片１３と連結片３１との固定は、連結ボス１５が連結ボス嵌合穴３３に、連結ボス３５が連結ボス嵌合穴１９に嵌合され、固定穴１７、固定穴３５それぞれにおいてボルト固定されて行われる。
【００１８】  図６はその取り付け状態の説明図で、上記したように連結片１２のそれぞれと連結片１１３とのそれぞれとが２５°互いが偏心する位置に設けられていることで、作業用デッキ５は前縁側が後縁側に対して下方位置となるように２５°傾斜して駆動ユニット４に連接される。これにより、図１に示すように、６５°の傾斜角を持つ法面Ａに沿って２５°傾斜して位置する駆動ユニット４に対し、作業用デッキ５は常に水平状態となる。
【００１９】  上記構成の移動昇降式足場１によれば、ガイドマスト２に沿って駆動ユニット４と一体に作業用デッキ５を昇降移動配置することで、法面Ａの適宜の高さ位置において各種の補強施工作業が行え、また、作業用デッキ５上に配置された削孔機１００によって法面Ａへの削孔及びアンカーボルトの打ち込み作業等が容易になされる。その際作業用デッキ５が常に水平となることで、その作業が容易、かつ、安全に行われる。法面Ａの傾斜角度に対応して連結片１２と連結片１３との偏心角度が適宜異なる連結部材９が適宜使用される。
【００２０】  図７は他の実施形態における駆動ユニット４の作業用デッキと５との連結側を示し、この実施形態では連結片２３それぞれに面状の連結片４０のそれぞれをボルトにより固定して取り付けている。これら連結片４０が連結部材９を介することなく作業用デッキ５の連結片３１に連結されることで、作業用デッキ５は傾斜することなく駆動ユニット４に連接される。連結片４０はガイドマスト２が垂直に配置される垂直面の施工する場合に用いられる。
【００２１】  図８にも示すように、作業用デッキ５の一方端部には法面Ａに近接して補強施工作業をする際に使用される補助作業用デッキ１１０が設けられている。補助作業用デッキ１１０は補助デッキプレート１１１とその両側に沿って配置される一対の安全柵１１２とから構成され、補助デッキプレート１１１は必要作業時に作業用デッキ５のデッキプレート２５の下部からスライド構造により引き出される。安全柵１１２は取り付け用の縦枠材１１５と３本の横桟材１１６と傾斜配置される前枠材１１７とからなり、縦枠材１１５が作業用デッキ５の安全柵８の縦枠材８１に２個の連結用クランプ１１９によって固定されることで取り付けられている。
【００２２】  横桟材１１６のそれぞれは基部１２０内から先部１２１が伸び出し可能となっており、先部１２１は適宜の伸び出し位置で固定ネジ１２２により基部１２０に固定されるようになっている。これにより安全柵１１２は法面Ａ側への突出距離が調整可能とされている。また、前枠材１１７の下端は最下部の横桟材１１６の先部１２１の先端に回動可能に軸支されるとともに、２か所にガイド溝１２５が設けられていて、それらガイド溝１２５に上側の２本の横桟材１１６の先部１２１の端部から外方に突出する係止ピン１２６（点線図示）が係止されている。これにより横桟材１１６のそれぞれの先部１２１が伸び出す際には係止ピン１２６のそれぞれがガイド溝１２５それぞれに沿って上昇移動し、それにつれて前枠材１１７は上部が外方に開くように変位される。このように前枠材１１７は法面Ａに沿うように傾斜角度が調整可能とされていることで、補助作業用デッキ１１０が法面Ａ側に突出されて配置される際、その安全柵１１２が法面Ａに沿う位置まで近接配置できて補強施工作業が安全に行われる。とくに、安全柵１１２は前枠材１１７の傾斜角度が調整可能とされていることで、法面Ａの傾斜角度が異なる施工現場それぞれにおいて兼用使用できる利点がある。
【００２３】  図９は他の実施形態を示し、この実施形態において移動昇降式足場２００はダムの排水路２１０の傾斜面２１１と両側壁面２１２との補強施工作業に使用されている。移動昇降式足場２００は２本のガイドマスト２１３が傾斜面２１１に沿うように平行に配置されて設けられている。移動昇降式足場２００は両端位置に作業台２０３のそれぞれが載置固定されており、この作業台２０３上において両側壁面２１２の低い位置Ｌとともに高い位置Ｈでの補強施工作業をも行えるようにしている。
【符号の説明】
【００２４】１  移動昇降式足場
２  ガイドマスト
３  モータ（駆動部）
５  駆動ユニット
５  作業用デッキ
９  連結部材
１２  第１連結部
１３  第２連結部
【図１】
2019011663.tif 000003
【図２】
2019011663.tif 000004
【図３】
2019011663.tif 000005
【図４】
2019011663.tif 000006
【図５】
2019011663.tif 000007
【図６】
2019011663.tif 000008
【図７】
2019011663.tif 000009
【図８】
2019011663.tif 000010
【図９】
2019011663.tif 000011